(57)【要約】【課題】  歯間に挿入した際に挿入部位を傷つける虞が少ない歯間ブラシであって、清掃性が良く衛生的に優れた歯間ブラシを提供する。【解決手段】  ブラシ部の毛材である樹脂がフッ素樹脂を含むことを特徴とする歯間ブラシとする。特にフッ素樹脂がポリテトラフルオロエチレンであったり、ブラシ部の毛材である樹脂が、ポリアミド樹脂，ポリブチレンテレフタレート樹脂，ポリトリメチレンテレフタレート樹脂から選ばれる少なくとも一種の樹脂である歯間ブラシであることが好ましい。【選択図】  なし【特許請求の範囲】
【請求項１】
ブラシ部の毛材である樹脂がフッ素樹脂を含むことを特徴とする歯間ブラシ。
【請求項２】
フッ素樹脂がポリテトラフルオロエチレンである請求項１に記載の歯間ブラシ。
【請求項３】
ブラシ部の毛材である樹脂が、ポリアミド樹脂，ポリブチレンテレフタレート樹脂，ポリトリメチレンテレフタレート樹脂から選ばれる少なくとも一種の樹脂である請求項１又は２に記載の歯間ブラシ。
【請求項４】
ブラシ部の毛材である樹脂がフッ素樹脂の粉末を０．０１〜１０重量％の含む請求項１ないし３の何れか一項に記載の歯間ブラシ。
【発明の詳細な説明】
【技術分野】
【０００１】
本発明は、歯間に挿入した際に挿入部位を傷つける虞が少ない歯間ブラシであって、清掃性が良く衛生的に優れた歯間ブラシに関するものである。
【背景技術】
【０００２】
従来から歯間を清掃するために歯間ブラシが用いられている。この歯間ブラシには歯間の汚れを落とすための機能は勿論であるが、歯間に挿入した際には挿入部位を傷つける虞が少ないものが求められる。
【０００３】
従来行われていた歯間ブラシの歯間への挿入及び清掃時に歯間の口腔組織をできるだけ傷つけないように改善された歯間ブラシとしては、歯間の形状に合わせた断面形状を有するブラシ部を持つ歯間ブラシ（例えば、特許文献１参照。）、または毛から成るブラシ部に代えて柔らかな例えばポリウレタンフォームなどの発砲材質を清掃部に使用した歯間清掃具（例えば、特許文献２参照。）が提案されている。
【０００４】
しかし、歯間の形状に合わせた断面形状を有するブラシ部を持つ歯間ブラシはブラシ部を回転して使用するとその効果が十分発揮できない問題があり、清掃部にポリウレタンフォームなどの発砲材質を用いた歯間清掃具は発砲材質中に残った口腔内雑菌の繁殖の虞があるので衛生的に問題があった。
【０００５】
【特許文献１】特開平  ９−２２０１２２号公報
【特許文献２】特開平１１−１９２２４５号公報
【発明の開示】
【発明が解決しようとする課題】
【０００６】
そこで本発明は歯間に挿入した際に挿入部位を傷つける虞が少ない歯間ブラシであって、更に清掃性が良く衛生的に優れた歯間ブラシを提供することを課題とする。
【課題を解決するための手段】
【０００７】
本発明者は前期課題を解決するために鋭意検討した結果、ブラシ部の毛材に摩擦抵抗の少ないポリテトラフルオロエチレンなどのフッ素樹脂を利用すると、歯間の汚れを落とす機能を損なうことなくブラシの挿入部位の口腔内組織を傷つける虞が減り、円形など従来の断面形状にすることも可能であるためにブラシを回転させて清掃することもでき、更にはフッ素樹脂の撥水特性によって汚れをブラシ部から容易に洗い流すことができる歯間ブラシを得ることが可能であることを見いだしたのである。
【０００８】
即ち本発明は、ブラシ部の毛材である樹脂がフッ素樹脂を含むことを特徴とする歯間ブラシであり、フッ素樹脂がポリテトラフルオロエチレンであったり、ブラシ部の毛材である樹脂が、ポリアミド樹脂，ポリブチレンテレフタレート樹脂，ポリトリメチレンテレフタレート樹脂から選ばれる少なくとも一種の樹脂であることが好ましい歯間ブラシであり、更にブラシ部の毛材である樹脂がフッ素樹脂の粉末を０．０１〜１０重量％の含む歯間ブラシである。
【発明の効果】
【０００９】
本発明に係る歯間ブラシは、歯間に挿入した際に挿入部位の口腔内組織を傷つける虞が少ない歯間ブラシであって、衛生的にも優れた歯間ブラシであるので歯科衛生に貢献するところ大なるものである
【発明を実施するための最良の形態】
【００１０】
本発明に係る歯間ブラシは、従来の歯間ブラシの形状が特に制限無く利用できる。例えば、歯間ブラシは従来の歯間ブラシに用いられていたあらゆる形状の把持部と該把持部に植設された金属や樹脂などから成る捩じりワイヤであるワイヤ部と、該ワイヤ部に毛材を挟持したブラシ部とから成る歯間ブラシを例示できる。
【００１１】
本発明に係る歯間ブラシに於いて毛材の材質としては、ポリアミド樹脂（ナイロン６−１０、ナイロン６−１２など）が用いられ、さらには、ポリブチレンテレフタレート樹脂（ＰＢＴ）、ポリトリメチレンテレフタレート樹脂（ＰＴＴ）などの耐久性が良好な材質が挙げられる。これらの樹脂から成る毛材にフッ素樹脂を含ませた歯間ブラシとしては、ブラシ部の毛材である樹脂がフッ素樹脂で表面処理された歯間ブラシや、ブラシ部の毛材である樹脂にフッ素樹脂が混合されている歯間ブラシとすることが好ましい。ブラシ部の毛材である樹脂にフッ素樹脂を混合して用いる場合には、例えば毛材である樹脂にフッ素樹脂の粉末が混合されている状態であることが好ましい。
【００１２】
毛材である樹脂にフッ素樹脂の粉末を含む場合のようにブラシ部の毛材である樹脂にフッ素樹脂が混合されている場合には、毛材である樹脂に対して０．０１〜１０重量％の範囲でフッ素樹脂を含むことが好ましい。０．０１重量％未満であるとフッ素樹脂を含む効果が得られ難く、１０重量％を超えて含むと毛材の強度が低下する傾向がある。
【００１３】
本発明に係る歯間ブラシの毛材である樹脂に含まれるフッ素樹脂としては、例えばポリテトラフルオロエチレン，パーフルオロアルコキシアルカン（テトラフルオロエチレン・パーフルオロアルキルビニルエーテル共重合樹脂），エチレン−テトラフルオロエチレンコポリマー，パーフルオロエチレン−プロペンコポリマー，ポリビニリデンフルオライド，エチレン−クロロトリフルオロエチレンコポリマーなどを挙げることができ、ポリテトラフルオロエチレンが安全性と加工のし易さの点から最も好ましい。
【実施例】
【００１４】
以下、本発明の実施例について、比較例と参照して説明するが本実施例は下記実施例に限定されるものではない。
【００１５】
＜実施例１＞
実施例及び比較例の歯間ブラシは、Ｍサイズのものとし、樹脂の毛材は、６−１２ナイロン樹脂を用いた。毛材の直径は、３ｍｉｌ（７６．２μｍ）の太さのものを用いた。毛材を１．０重量％ポリテトラフルオロエチレン樹脂含有のｎ-ヘプタン中に０．２時間浸漬した後、エアー感想を行い毛材表面にフッ素樹脂皮膜を形成した。この歯間ブラシに関して２０人の被験者に対して「歯間への挿入しやすさ（しやすい：５〜し難い：１  までの５段階）」，「歯間での動かしやすさ（動かしやすい：５〜動かし難い：１  までの５段階）」，「歯間ブラシからの汚れの落ちやすさ（落ちやすい：５〜落ち難い：１  までの５段階）」に関してアンケートを行った。各項目の平均ポイントを表１に示す。なお、フッ素樹脂を含まない毛材を用いた以外は本実施例１と同様の歯間ブラシを比較例１として用いた。
【００１６】
＜実施例２＞
ブラシ部の毛材として、フッ素樹脂（ポリテトラフルオロエチレン）粉末を混合したポリアミド樹脂（ナイロン６１２）（商品名：タイネックス・ウイズ・テフロン（登録商標），デュポン社製）をブラシ部の毛材として用いて歯間ブラシを作製し、実施例１と同様のアンケートを行った。結果を表１に示す。
【００１７】
【表１】
2005287954.tif 000002
【００１８】
表１から明らかなように本発明に係る歯間ブラシは、歯間に挿入しやすい歯間ブラシであることが分かり、フッ素樹脂によって毛材がスムーズに歯間を動くために挿入部位を傷つける虞が少ない歯間ブラシであると言える。そして、歯間の形状に合わせた断面形状を有するブラシ部を持つ歯間ブラシのようにブラシ部を回転して使用するとその効果が十分発揮できない問題も無く、ブラシ部にポリウレタンフォームなどの発砲材質を用いた歯間ブラシのようにブラシ部に口腔内雑菌が繁殖してしまう虞が少ない衛生的に優れた歯間ブラシである。